(57)【要約】【課題】タッチパッドを備える操作入力装置において、タッチパッドの表面に一定間隔で表面加工を施し、操作者の指の移動及び停止を制御し易くする。【解決手段】操作入力装置１０は、カーソル１６ａを表示する表示手段１６と、操作者の指１の移動量に応じてカーソル１６ａの移動量を制御可能なタッチパッド１１とを備える。タッチパッド１１は、操作者の指１の移動方向と交わるように一定間隔で表面加工１１ａが施され、表面加工１１ａの間隔に対応させてカーソル１６ａの移動量を設定している。例えば、表面加工１１ａが断面波型の場合、その波型の凹部が操作者の指１の停止位置に対応して形成され、操作者の指１が凸部を一つ超えて次の凹部で停止すると、カーソル１６ａの位置が一つ移動する。【選択図】図３
2007072660.tif 000002
【特許請求の範囲】
【請求項１】
カーソルを表示する表示手段と、操作者の指の移動量に応じて前記カーソルの移動量を制御可能なタッチパッドとを備える操作入力装置において、前記タッチパッドは、前記操作者の指の移動方向と交わるように一定間隔で表面加工が施され、該表面加工の間隔に対応させて前記カーソルの移動量を設定していることを特徴とする操作入力装置。
【請求項２】
請求項１に記載の操作入力装置において、前記タッチパッドは、前記操作者の指を直線状に移動させることにより操作可能とし、前記操作者の指の移動方向と交わるように一定間隔で表面加工されていることを特徴とする操作入力装置。
【請求項３】
請求項１に記載の操作入力装置において、前記タッチパッドは、前記操作者の指を円弧状に移動させることにより操作可能とし、前記円弧の中心点から放射状に一定間隔で表面加工されていることを特徴とする操作入力装置。
【請求項４】
請求項１に記載の操作入力装置において、前記タッチパッドは、前記操作者の指を、任意の点から外側に向けて移動させることにより操作可能とし、前記点を中心として同心円状に一定間隔で表面加工されていることを特徴とする操作入力装置。
【請求項５】
請求項２乃至４のいずれか１に記載の操作入力装置において、前記タッチパッドは、前記操作者の指の触覚によって、該指の停止位置を感知できるように表面加工されていることを特徴とする操作入力装置。
【請求項６】
請求項５に記載の操作入力装置において、前記タッチパッドは、前記表面加工として、断面波型に加工され、該波型の凹部あるいは凸部が前記指の停止位置に対応して形成されていることを特徴とする操作入力装置。
【請求項７】
請求項５に記載の操作入力装置において、前記タッチパッドは、前記表面加工として、前記指の停止位置に対応する部分の摩擦係数が他の部分よりも大きくなるように加工されていることを特徴とする操作入力装置。
【請求項８】
請求項５に記載の操作入力装置において、前記タッチパッドは、前記表面加工として、前記操作者の指の触覚によって感知可能なガイド線あるいは目盛が前記指の停止位置に対応して形成されていることを特徴とする操作入力装置。
【請求項９】
請求項１乃至８のいずれか１に記載の操作入力装置において、前記タッチパッド上で前記操作者の指が触れた位置を始点として認識する始点認識手段と、該認識した始点からの前記操作者の指の移動方向及び移動量を検出する移動方向／移動量検出手段と、前記操作者の指が前記タッチパッドから離れたときの位置を終点として検出する終点検出手段と、前記移動方向／移動量検出手段により検出される前記操作者の指の移動方向及び移動量に応じて、前記始点を含む領域に割り当てられている選択候補を変化させて画面に表示する表示制御手段と、前記終点が検出されたときに前記画面上で選択状態にある選択候補の入力を確定する入力確定手段とを備え、前記表示手段は、前記選択状態にある選択候補にカーソルを表示することを特徴とする操作入力装置。
【発明の詳細な説明】
【技術分野】
【０００１】
本発明は、操作入力装置、より詳細には、タッチパッドを操作する際の操作者の指の移動と停止を制御し易くした操作入力装置に関する。
【背景技術】
【０００２】
従来、画面上におけるカーソルの移動を制御するために、タッチパッドを備えた操作入力装置が知られている。例えば、特許文献１には、タッチパッドを備えた携帯端末機が開示されている。これは、手指、ペン等の指示体の接触位置の２次元座標を出力すると共に、指示体の押圧力に応じて異なる信号を出力するタッチパッドを操作手段とし、情報とカーソルを表示する表示手段と、タッチパッドの操作に応じて、カーソルを移動する移動処理と情報の選択を決定する決定処理とを行う制御手段とを備え、さらに、タッチパッド上に、タッチパッド上をタップ操作することによりカーソルを移動させるカーソル移動領域と、タッチパッド上をタップ操作することにより情報の選択決定を行う決定領域とを設けたものである。
【０００３】
上記のタッチパッドは、操作者の指の移動距離に応じてカーソルの移動量を制御することができる。このとき、操作者は、その指を平面状のタッチパッド上でスライドさせるため、指の移動量は無段階となる。
【特許文献１】特開２００４−１６６１０９号公報
【発明の開示】
【発明が解決しようとする課題】
【０００４】
従来、タッチパッドを操作して文字や図のようなキャラクタや、行や列を指定するとき、操作者の指は無段階にタッチパッド上を移動することになる。このため、操作者はカーソルを意図する場所に停止させるために、定められた指の移動と停止位置の位置決めの範囲がつかみにくかった。従って、意図する停止位置よりも前あるいは後でカーソルを停止させてしまうことによる誤操作を生じさせやすく、そのたびに再調整の必要があり、入力操作が非効率なものになっていた。
【０００５】
本発明は、上述のごとき実情に鑑みてなされたものであり、タッチパッドを備える操作入力装置において、タッチパッドの表面に一定間隔で表面加工を施し、操作者の指の移動及び停止を制御し易くすること、を目的とする。
【課題を解決するための手段】
【０００６】
上記課題を解決するために、本発明の第１の技術手段は、カーソルを表示する表示手段と、操作者の指の移動量に応じて前記カーソルの移動量を制御可能なタッチパッドとを備える操作入力装置において、前記タッチパッドは、前記操作者の指の移動方向と交わるように一定間隔で表面加工が施され、該表面加工の間隔に対応させて前記カーソルの移動量を設定していることを特徴としたものである。
【０００７】
第２の技術手段は、第１の技術手段において、前記タッチパッドは、前記操作者の指を直線状に移動させることにより操作可能とし、前記操作者の指の移動方向と交わるように一定間隔で表面加工されていることを特徴としたものである。
【０００８】
第３の技術手段は、第１の技術手段において、前記タッチパッドは、前記操作者の指を円弧状に移動させることにより操作可能とし、前記円弧の中心点から放射状に一定間隔で表面加工されていることを特徴としたものである。
【０００９】
第４の技術手段は、第１の技術手段において、前記タッチパッドは、前記操作者の指を、任意の点から外側に向けて移動させることにより操作可能とし、前記点を中心として同心円状に一定間隔で表面加工されていることを特徴としたものである。
【００１０】
第５の技術手段は、第２乃至第４のいずれか１の技術手段において、前記タッチパッドは、前記操作者の指の触覚によって、該指の停止位置を感知できるように表面加工されていることを特徴としたものである。
【００１１】
第６の技術手段は、第５の技術手段において、前記タッチパッドは、前記表面加工として、断面波型に加工され、該波型の凹部あるいは凸部が前記指の停止位置に対応して形成されていることを特徴としたものである。
【００１２】
第７の技術手段は、第５の技術手段において、前記タッチパッドは、前記表面加工として、前記指の停止位置に対応する部分の摩擦係数が他の部分よりも大きくなるように加工されていることを特徴としたものである。
【００１３】
第８の技術手段は、第５の技術手段において、前記タッチパッドは、前記表面加工として、前記操作者の指の触覚によって感知可能なガイド線あるいは目盛が前記指の停止位置に対応して形成されていることを特徴としたものである。
【００１４】
第９の技術手段は、第１乃至第８のいずれか１の技術手段において、前記タッチパッド上で前記操作者の指が触れた位置を始点として認識する始点認識手段と、該認識した始点からの前記操作者の指の移動方向及び移動量を検出する移動方向／移動量検出手段と、前記操作者の指が前記タッチパッドから離れたときの位置を終点として検出する終点検出手段と、前記移動方向／移動量検出手段により検出される前記操作者の指の移動方向及び移動量に応じて、前記始点を含む領域に割り当てられている選択候補を変化させて画面に表示する表示制御手段と、前記終点が検出されたときに前記画面上で選択状態にある選択候補の入力を確定する入力確定手段とを備え、前記表示手段は、前記選択状態にある選択候補にカーソルを表示することを特徴としたものである。
【発明の効果】
【００１５】
本発明によれば、タッチパッドを備える操作入力装置において、タッチパッドの表面に一定間隔で表面加工を施すことにより、操作者の指の移動及び停止を制御し易くなる。
【発明を実施するための最良の形態】
【００１６】
図１は、本発明の一実施形態に係る操作入力装置の構成例を示すブロック図で、図中、１は操作者の指、１０は操作入力装置を示す。操作入力装置１０は、タッチパッド１１、タッチパッドコントローラ１２、表示制御手段１３、辞書ＤＢ１４、メモリ１５、表示手段１６、及び入力確定手段１７を備えている。
【００１７】
本発明の操作入力装置１０は、例えば、ポータブル音楽プレーヤ、携帯電話機、携帯型情報機器、デジタルカメラ、デジタルビデオカメラなどのように、表示手段１６を有し、その画面上にカーソルが表示され、カーソル移動をタッチパッド１１によって操作可能な装置であって、カーソルの停止位置が操作者の意図とずれることを防止することを主たる目的とする。このため、タッチパッド１１上をスライドさせる指１を特定の位置で停止し易くするために、タッチパッド１１の表面に断面波型の加工を行うなどの表面加工を施す。
【００１８】
なお、上記表面加工は、操作者の指１の触覚によって、指１の停止位置を感知できるように加工されていればよく、断面波型の加工以外にも、指１の停止位置に応じた部分の摩擦係数を他の部分よりも大きくする、あるいは、操作者の指１の触覚によって感知可能なガイド線や目盛を指１の停止位置に対応して形成するようにしてもよい。
【００１９】
タッチパッド１１は、複数の領域に分割され且つ各領域に選択候補となる文字情報などの情報が割り当てられ、操作者の指１の移動量に応じてカーソルの移動量を制御可能とする。タッチパッド１１は、操作者の指１の移動方向と交わるように一定間隔で表面加工が施され、表面加工の間隔に対応させてカーソルの移動量を設定できるようにしている。
【００２０】
タッチパッドコントローラ１２は、タッチパッド１１を制御する手段であって、タッチパッド１１上で指１が触れた位置を始点として認識する始点認識手段１２ａと、認識した始点からの指１の移動方向及び移動量を検出する移動方向／移動量検出手段１２ｂと、指１がタッチパッド１１から離れたときの位置を終点として検出する終点検出手段１２ｃと、を備える。このように、タッチパッド１１は、指１によりタッチされた領域を認識する機能と、続いて行うスライド操作の方向と移動量を検出する機能と、指１が離れた位置を検出する機能とを備える。また、タッチパッド１１の入力方式としては、抵抗膜式、静電式など公知の方式を用いることができる。
【００２１】
また、表示制御手段１３は、移動方向／移動量検出手段１２ｂにより検出される指１の移動方向及び移動量に応じて、始点認識手段１２ａにより認識された始点を含む領域に割り当てられている選択候補を変化させて画面に表示する。辞書ＤＢ２３は、タッチパッドコントローラ１２からの操作入力信号に対応付けて文字（漢字、ひらがな、カタカナなど）や英数字などの辞書情報を蓄積する。メモリ１５は、タッチパッドコントローラ１２からの操作入力信号に対応付けてチャンネル情報などを記憶する。
【００２２】
表示手段１６は、ＬＣＤ（液晶ディスプレイ：Ｌｉｑｕｉｄ  Ｃｒｙｓｔａｌ  Ｄｉｓｐｌａｙ）などの表示手段で、タッチパッド１１への操作に連動して、選択状態にある選択候補にカーソルを当てて表示する。このカーソル表示の制御は、表示制御手段１３により実行される。入力確定手段１７は、終点検出手段１２ｃにより終点が検出されたときに画面上で選択状態にある選択候補（すなわち、カーソルが当たっている選択候補）の入力を確定する。
【００２３】
なお、表示制御手段１３は、タッチパッド１１の各領域に割り当てられている選択候補を表示させる際に、操作者の指１の移動方向及び移動量に応じて、選択状態にある候補だけを１つずつ順番に表示させる、あるいは、選択状態にある候補の前後の候補を含めた複数の選択候補をリスト化して表示させるようにしてもよい。
【００２４】
図２は、本発明の他の実施形態に係る操作入力装置１０の構成例を示す図で、図中、２０はＬＣＤなどの表示装置、３０は記録再生装置（レコーダなど）やＰＣ本体等の外部機器を示す。本実施形態では、外部機器３０と表示装置２０が接続され、操作入力装置１０からの操作入力信号は、外部機器３０で受信され、外部機器３０から表示装置２０に送られる。
【００２５】
本発明の操作入力装置１０は、表示装置２０や外部機器３０を遠隔操作可能なリモートコントロール装置に適用してもよい。この場合、表示手段１６が外部の表示装置２０となり、表示制御手段１３、辞書ＤＢ１４、メモリ１５、及び入力確定手段１７を外部機器３０あるいは表示装置２０に備える構成としてもよい。また、表示装置２０あるいは外部機器３０は、テレビチューナ機能、ラジオチューナ機能、音楽プレーヤ機能などの機能を備えるようにしてもよい。
【００２６】
図２において、タッチパッド１１は、数字の「１」及び「あ行」などが割り当てられた領域、数字の「２」及び「か行」などが割り当てられた領域、数字の「３」及び「さ行」などが割り当てられた領域、数字の「４」及び「た行」などが割り当てられた領域、数字の「５」及び「な行」などが割り当てられた領域、数字の「６」及び「は行」が割り当てられた領域、数字の「７」及び「ま行」が割り当てられた領域、数字の「８」及び「や行」などが割り当てられた領域、数字の「９」及び「ら行」などが割り当てられた領域、数字の「０」及び「わ行」などが割り当てられた領域、を備える。なお、上記各領域には、ひらがな、カタカナ、アルファベット（大文字，小文字含む）、数字、記号、それぞれの全角文字、半角文字などの複数の文字種を選択的に割り当てることが可能である。
【００２７】
操作者は、所望の文字が割り当てられているタッチパッド１１の領域に指１をタッチする。続いて、これを「始点」として指１をスライド（図中下向きにスライド）することによって、その移動方向及び移動量に応じて割り当てられている文字の選択候補のリストが表示装置２０の画面に表示される。操作者は、所望の文字が選択候補として表示された時点でそれを「終点」として指１のタッチを開放する。これによって文字の選択が確定する。
【００２８】
なお、始点確定後に、指１をスライドする操作に入った段階では、指１をスライドさせる方向と移動量によって操作が行われるのであって、タッチパッド１１の他の領域に指１が移動してもそこに割り当てられた文字は操作に影響しない。
【００２９】
また、上記操作において、文字の選択候補を順に表示させているときに、所望の文字候補を飛び越えて指１をスライドさせてしまった場合でも、そのまま反対方向に指１をスライドさせて所望の文字候補まで戻して選択できるようにしてもよい。
【００３０】
以下、図３乃至図６に基づいて、本発明のタッチパッド１１の表面加工処理の各実施形態について説明する。なお、以下では、図１に示した操作入力装置１０の構成に基づいて説明するものとする。
【００３１】
（第１の実施形態）
図３は、本発明の第１の実施形態に係るタッチパッド１１の表面加工処理の一例を示す図である。操作入力装置１０は、タッチパッド１１に対して操作者の指１が触れた点を始点として認識し、始点を含む領域に割り当てられている選択候補のリストを表示手段１６の画面に表示する。そして、タッチパッド１１上の始点からの操作者の指１の移動方向及び移動量に応じて、カーソル１６ａを移動させて、選択候補を順に選択状態にする。本例では、白抜き表示されている選択候補「ＢＢＢ」が選択状態にあることを示す。
【００３２】
図３（Ａ）において、タッチパッド１１は、操作者の指１の移動方向と交わるように一定間隔で表面加工１１ａが施され、表面加工１１ａの間隔に対応させてカーソル１６ａの移動量が設定されている。図３（Ｂ）は、図３（Ａ）に示すタッチパッド１１のＸＸ′断面を示す図である。本実施形態のタッチパッド１１は、カーソル移動の操作のため、操作者の指１を直線状に移動させるように設定されており、表面加工１１ａは、操作者の指１の移動方向と交わるように一定間隔で施されている。
【００３３】
本実施形態では、表面加工１１ａとして、図３（Ｂ）に示すように断面波型に加工され、領域「００」から領域「０４」までの各領域がカーソル位置「Ａ」からカーソル位置「Ｅ」までに対応している。また、波型の凹部が指１の停止位置に対応して形成され、操作者の指１が波型の凸部をひとつ越えて次の凹部に停止すると、表示手段１６のカーソル１６ａがひとつ移動する。なお、その逆、すなわち、波型の凸部が指１の停止位置に対応して形成されていてもよい。この場合、操作者の指１が波型の凹部をひとつ越えるごとにカーソル１６ａがひとつ移動する。
【００３４】
図３（Ａ）及び（Ｂ）において、指１が領域「００」にタッチしている間は、カーソル位置「Ａ」にカーソル１６ａが当たり、指１をスライドさせて領域「０１」にタッチしている間は、カーソル位置「Ｂ」にカーソル１６ａが当たる。以下、指１をスライドさせて領域「０２」にタッチしている間は、カーソル位置「Ｃ」にカーソル１６ａが当たり、指１が領域「０３」にタッチしている間は、カーソル位置「Ｄ」にカーソル１６ａが当たり、指１が領域「０４」にタッチしている間は、カーソル位置「Ｅ」にカーソル１６ａが当たるように設定されている。
【００３５】
このように、タッチパッド１１に表面加工１１ａを施して断面波型にすることにより、操作者はタッチパッド１１上において指１を順にスライドさせる際に、波型の凹部を指１の触覚で感知することができるため、この凹部で指１のスライドを停止させることができる。これにより、操作者の指１が波型の凸部をひとつ越えるごとに、表示手段１６のカーソル１６ａをひとつ移動させることが可能となり、操作者は指１の停止位置の位置決めがし易くなり、誤操作を減少させることができる。
【００３６】
なお、操作者の指１の移動方向は、タッチパッド１の表面における上下方向、左右方向、斜め方向のいずれの方向にしてもよく、各方向に対して断面波型を形成することで、同様の操作を行うことができる。
【００３７】
（第２の実施形態）
図４は、本発明の第２の実施形態に係るタッチパッド１１の表面加工処理の一例を示す図である。本実施形態の表面加工１１ｂは、タッチパッド１１の表面を波型加工する代わりに、指１の停止位置に対応した部分（図４のグレーの部分）の摩擦係数を他の部分よりも大きくしている。例えば、指１の停止位置に対応した部分に対して、指１の触覚によって他の部分との違いを感知可能な程度に表面処理を施す。これにより、操作者が指１の停止位置を決め易くすることができる。また、これとは逆に、指１の停止位置に対応した部分の摩擦係数を他の部分よりも小さくしてもよい。
【００３８】
このように、タッチパッド１１の指１の停止位置に対応した部分に表面加工１１ｂを施して、その摩擦係数を他の部分よりも大きくすることにより、操作者はタッチパッド１１上において指１を順にスライドさせる際に、摩擦係数の大きい部分を指１の触覚で感知することができるため、この部分で指１のスライドを停止させることができる。これにより、操作者の指１が現在の停止位置から次の停止位置に対応した部分へ移動すると、表示手段１６のカーソル１６ａをひとつ移動させることが可能となり、操作者は指１の停止位置の位置決めがし易くなり、誤操作を減少させることができる。
【００３９】
なお、操作者の指１の移動方向は、タッチパッド１の表面における上下方向、左右方向、斜め方向のいずれの方向にしてもよく、各方向に対して摩擦係数の大きい部分を一定間隔で形成することで、同様の操作を行うことができる。
【００４０】
（第３の実施形態）
図５は、本発明の第３の実施形態に係るタッチパッド１１の表面加工処理の一例を示す図である。本実施形態におけるタッチパッド１１は、カーソル移動の操作のため、円弧状に指１を移動可能とし（図中、矢印の方向）、この円弧の中心から放射線状に一定間隔で表面加工を施す。この状態を表面加工１１ｃに示す。図中ハッチング部は、指１の停止位置に対応して、表面加工が施された部分を示す。なお、表面加工１１ｃとしては、前述した波型加工、指１の停止位置に応じた部分の摩擦係数を他の部分よりも大きくする、あるいは、操作者の指１の触覚によって感知可能なガイド線や目盛を指１の停止位置に対応して形成するようにしてもよい。
【００４１】
例えば、タッチパッド１１に表面加工１１ｃを施して断面波型にすることにより、操作者はタッチパッド１１上において指１を順にスライドさせる際に、波型の凹部を指１の触覚で感知することができるため、この凹部で指１のスライドを停止させることができる。これにより、操作者の指１が波型の凸部をひとつ越えるごとに、表示手段１６のカーソル１６ａをひとつ移動させることが可能となり、操作者は指１の停止位置の位置決めがし易くなり、誤操作を減少させることができる。
【００４２】
（第４の実施形態）
図６は、本発明の第４の実施形態に係るタッチパッド１１の表面加工処理の一例を示す図である。本実施形態におけるタッチパッド１１は、カーソル移動の操作のため、任意の一点から外側に向けて指１を移動可能とし（図中、矢印の方向）、この点を中心点として同心円状に一定間隔で表面加工を施す。この状態を表面加工１１ｄに示す。図中ハッチング部は、指１の停止位置に対応して、表面加工が施された部分を示す。なお、表面加工１１ｄとしては、前述した波型加工、指１の停止位置に応じた部分の摩擦係数を他の部分よりも大きくする、あるいは、操作者の指１の触覚によって感知可能なガイド線や目盛を指１の停止位置に対応して形成するようにしてもよい。
【００４３】
例えば、タッチパッド１１に表面加工１１ｄを施して断面波型にすることにより、操作者はタッチパッド１１上において指１を順にスライドさせる際に、波型の凹部を指１の触覚で感知することができるため、この凹部で指１のスライドを停止させることができる。これにより、操作者の指１が波型の凸部をひとつ越えるごとに、表示手段１６のカーソル１６ａをひとつ移動させることが可能となり、操作者は指１の停止位置の位置決めがし易くなり、誤操作を減少させることができる。
【００４４】
図７は、本発明が適用される操作入力装置１０によるカーソル移動の制御方法の一例を説明するためのフロー図である。本例は、前述の図３に示した構成に基づいて説明する。まず、操作入力装置１０は、指１がタッチパッド１１の領域「００」に触れると、カーソル１６ａをカーソル位置「Ａ」に当てる（ステップＳ１）。次に、操作入力装置１０は、指１が領域「０１」までスライドしたかどうかを判断し（ステップＳ２）、領域「０１」までスライドしたと判断した場合（ＹＥＳの場合）、カーソル１６ａをカーソル位置「Ｂ」に移動させる（ステップＳ３）。また、指１が領域「０１」までスライドしていないと判断した場合（ＮＯの場合）、ステップＳ１０に移行する。
【００４５】
次に、操作入力装置１０は、指１が領域「０２」までスライドしたかどうかを判断し（ステップＳ４）、領域「０２」までスライドしたと判断した場合（ＹＥＳの場合）、カーソル１６ａをカーソル位置「Ｃ」に移動させる（ステップＳ５）。また、指１が領域「０２」までスライドしていないと判断した場合（ＮＯの場合）、ステップＳ１０に移行する。
【００４６】
次に、操作入力装置１０は、指１が領域「０３」までスライドしたかどうかを判断し（ステップＳ６）、領域「０３」までスライドしたと判断した場合（ＹＥＳの場合）、カーソル１６ａをカーソル位置「Ｄ」に移動させる（ステップＳ７）。また、指１が領域「０３」までスライドしていないと判断した場合（ＮＯの場合）、ステップＳ１０に移行する。
【００４７】
次に、操作入力装置１０は、指１が領域「０４」までスライドしたかどうかを判断し（ステップＳ８）、領域「０４」までスライドしたと判断した場合（ＹＥＳの場合）、カーソル１６ａをカーソル位置「Ｅ」に移動させる（ステップＳ９）。また、指１が領域「０４」までスライドしていないと判断した場合（ＮＯの場合）、ステップＳ１０に移行する。
【００４８】
次に、操作入力装置１０は、指１のタッチが開放されたかどうかを判断し（ステップＳ１０）、タッチが開放された場合（ＹＥＳの場合）、その時点で選択状態にあった選択候補の入力を確定して終了する。また、タッチが開放されない場合（ＮＯの場合）、ステップＳ２に戻り処理を繰り返す。
【００４９】
以上説明したように、本発明によれば、タッチパッドを備える操作入力装置において、タッチパッドの表面に一定間隔で表面加工を施すことにより、操作者の指の移動及び停止を制御し易くなる。
【図面の簡単な説明】
【００５０】
【図１】本発明の一実施形態に係る操作入力装置の構成例を示すブロック図である。
【図２】本発明の他の実施形態に係る操作入力装置の構成例を示す図である。
【図３】本発明の第１の実施形態に係るタッチパッドの表面加工処理の一例を示す図である。
【図４】本発明の第２の実施形態に係るタッチパッドの表面加工処理の一例を示す図である。
【図５】本発明の第３の実施形態に係るタッチパッドの表面加工処理の一例を示す図である。
【図６】本発明の第４の実施形態に係るタッチパッドの表面加工処理の一例を示す図である。
【図７】本発明が適用される操作入力装置によるカーソル移動の制御方法の一例を説明するためのフロー図である。
【符号の説明】
【００５１】
１…操作者の指、１０…操作入力装置、１１…タッチパッド、１１ａ，１１ｂ，１１ｃ，１１ｄ…表面加工、１２…タッチパッドコントローラ、１２ａ…始点認識手段、１２ｂ…移動方向／移動量検出手段、１２ｃ…終点検出手段、１３…表示制御手段、１４…辞書ＤＢ、１５…メモリ、１６…表示手段、１６ａ…カーソル、１７…入力確定手段、２０…表示装置、３０…外部機器。
【図１】
2007072660.tif 000003
【図２】
2007072660.tif 000004
【図３】
2007072660.tif 000005
【図４】
2007072660.tif 000006
【図５】
2007072660.tif 000007
【図６】
2007072660.tif 000008
【図７】
2007072660.tif 000009